(57)【要約】【課題】  従来の雨樋集水ますの上蓋上に溜まってしまう水、砂、埃、落ち葉等による問題点を解消し、外観を損なわずに、メンテナンスも容易にする新しい雨樋集水ますの上蓋構造を提供する。【解決手段】  横引排水管と縦樋との間を介する雨樋集水ます２の上部開口に嵌合取付される上蓋１において、上蓋１には水抜き穴１１が穿設され、上蓋外縁部１２から水抜き穴１１に向かって低くなるように傾斜を有することを特徴とする雨樋集水ますの上蓋構造とする。【選択図】図１
2008133627.tif 000002
【特許請求の範囲】
【請求項１】
横引排水管と縦樋との間を介する雨樋集水ますの上部開口に嵌合取付される上蓋において、上蓋には水抜き穴が穿設され、上蓋外縁部から水抜き穴に向かって低くなるように傾斜を有することを特徴とする雨樋集水ますの上蓋構造。
【請求項２】
水抜き穴が縦樋接続用の排水口と同心円上の位置に形成されていることを特徴とする請求項１に記載の雨樋集水ますの上蓋構造。
【発明の詳細な説明】
【技術分野】
【０００１】
本発明は、雨樋集水ますの上蓋構造に関するものである。
【背景技術】
【０００２】
雨水等の排水をベランダや屋上等から屋外へと導く経路としては、まずベランダや屋上等に設けられた排水溝から建築物を貫通する横引排水管に送られ、次いで、雨樋集水ますを介して縦樋へと送られて排出される。このような雨樋集水ますの形状としては、例えば、図３記載のように、後壁部２１に横引排水管接続用の挿入口２２を有し、底壁部２３に縦樋接続用の排水口２４を有し、上部が開口している筒体の上部開口に水平な上蓋３を嵌合取付する形状が一般的である。この際、排水は縦樋を伝って重力で自然と下へ落ちるので、排水量によっては、密閉系の雨樋集水ますの内部は真空状態となり、排水速度が格段に遅くなることがあるため、雨樋集水ますに嵌合取付されている上蓋３に穴３１を穿設することで、雨樋集水ますの内部を真空状態にせずに排水をスムーズに行う工夫がなされている。そして、この穴３１は、同時に、上蓋３の上に溜まる雨水等を排水経路内へと導くことができるため、水抜きの役割も有しており、水抜き穴や空気穴と呼ばれている。
【０００３】
しかしながら、図３に記載のように上蓋３が水平の構造では、穴３１付近に溜まった雨水等を雨樋集水ます２の内部へと導くことはできるものの、上蓋３の上に溜まった水を全て雨樋集水ます２の内部へと導くことはできない。したがって、溜まった水の一部は雨樋集水ます２の外表面を伝って落ちることとなる。また、上蓋３が水平の構造であれば、当然に砂、埃、落ち葉等のごみが滞積しやすくなる。このため、雨が降れば、上蓋３上に溜まった水は、砂、埃等を含んだ汚水となり、雨樋集水ます２の外表面を伝って下へ流れ落ちることによって、雨樋集水ます２の外表面や縦樋の外表面に黒い線状の跡が形成され、さらにひどい場合には建築物の外壁を汚すこともあり、外観が損なわれるという問題点があった。
【０００４】
このような問題点に対して、例えば、特許文献１記載のように、上蓋の上面を雨樋集水ますの上部開口上縁端よりも低くすることによって、雨樋集水ますの外表面に汚水が流れ落ちないようにすることもできる。ただし、特許文献１記載のような上蓋構造では、砂、埃、落ち葉等が外表面に流れ落ちずに上蓋上に滞積してしまい、外観が損なわれるという問題点だけでなく、上蓋を取り外すメンテナンス時にも作業が面倒なものとなってしまう。
【特許文献１】実開平６−０８７５３４
【発明の開示】
【発明が解決しようとする課題】
【０００５】
本発明は、以上の通りの事情に鑑みてなされたものであり、従来の雨樋集水ますの上蓋上に溜まってしまう水、砂、埃、落ち葉等による問題点を解消し、外観を損なわずに、メンテナンスも容易にする新しい雨樋集水ますの上蓋構造を提供することを課題としている。
【課題を解決するための手段】
【０００６】
本発明は、上記の課題を解決するために、第１には、横引排水管と縦樋との間を介する雨樋集水ますの上部開口に嵌合取付される上蓋において、上蓋には水抜き穴が穿設され、上蓋外縁部から水抜き穴に向かって低くなるように傾斜を有することを特徴とする。
【０００７】
第２には、水抜き穴が縦樋接続用の排水口と同心円上の位置に形成されていることを特徴とする。
【発明の効果】
【０００８】
上記第１の発明によれば、上蓋には水抜き穴が穿設され、上蓋外縁部から水抜き穴に向かって低くなるように傾斜を有することによって、砂、埃、落ち葉等のごみが滞積しにくく、たとえ少量滞積していても、雨等による上蓋上の水は水抜き穴に自然と流れ、さらに上蓋上のごみを洗い流し、外観を損なわず、さらにメンテナンスも容易にすることができる。
【発明を実施するための最良の形態】
【０００９】
以下、本発明の雨樋集水ますの上蓋構造について詳しく説明する。
【００１０】
図１は、本発明の雨樋集水ますの上蓋構造の一実施形態の斜視図である。
【００１１】
図２は、図１の上蓋の拡大上面図（Ａ）、拡大断面図（Ｂ）および雨樋集水ますの拡大側面図（Ｃ）である。
【００１２】
なお、本発明の前後方向の定義としては、雨樋集水ますから見て建築物側を後、その逆を前とし、その他はこの定義に従って相対的に前方向か後方向かで判断し、記載している。
【００１３】
図１、図２記載のように、本発明の雨樋集水ますの上蓋構造は、上蓋１には水抜き穴１１が穿設され、上蓋外縁部１２から水抜き穴１１に向かって低くなるように傾斜を有している。
【００１４】
ここで、図１記載の上蓋１のように、上蓋外縁部１２から水抜き穴１１に向かって、傾きの変化がない直線的な傾斜としてもよいが、曲面としてもよく、傾斜を有していれば特に制限されない。ただし、上蓋１上での水の落ちやすい傾斜角度、砂、埃等が滞積しすぎないような傾斜角度、排水経路の詰まりを防止するために落ち葉等の大きなごみが内部に入りにくいような水抜き穴の大きさ等を考慮することも考えられる。上蓋の最適な形状は、雨樋集水ますの大きさ、設置場所、排水経路等によって異なる。目安として例えば、水平面の一辺が１０〜４０ｃｍ程度の一般的な雨樋集水ますと仮定した場合、直線的な傾斜角度とするならば、１°〜２０°、好ましくは５°〜１０°とすることによって水が落ちやすく、また、砂、埃、落ち葉等は滞積しにくくすることができる。また、曲面形状とするならば、上蓋外縁部１２から水抜き穴１１までの垂直方向の長さが２ｃｍ〜８ｃｍ、好ましくは３ｃｍ〜５ｃｍとし、さらに上蓋外縁部１２から水抜き穴１１に向かって傾きが急になっていくような曲面とすることによって、水が落ちやすく、砂、埃、落ち葉等は滞積しにくくすることができる。また、落ち葉であれば当然に風等によって自然と除去されるものであり、排水経路の詰まりを起こすような大きな落ち葉は敢えて雨樋集水ます２内に落とす必要がないので、水抜き穴１１の大きさについては、直径が１ｃｍ〜５ｃｍ、好ましくは２ｃｍ〜３ｃｍとすることによって、排水経路の詰まりを防止することができる。
【００１５】
本発明の上蓋１が取付けられる雨樋集水ます２は、一般的な雨樋集水ますと同様に、材質としては合成樹脂製や金属製等が例示され、形状としてもコストや建築物に取付けた際の景観等を考慮して、適宜選択すればよい。そして、本発明の上蓋１についても、上記上蓋構造を有していれば、その他の点については、特に制限されない。例えば、図１記載のように、上蓋１が取付けられる雨樋集水ます２としては、後壁部２１に横引排水管接続用の挿入口２２を有し、底壁部２３に縦樋接続用の排水口２４を有する一般的な筒体の雨樋集水ます２とすることができ、建築物の規模、取り付け位置を考慮して、適宜用いればよい。
【００１６】
また、その他の細部についても特に制限されないが、図２記載のように、水抜き穴１１が縦樋接続用の排水口２４と同心円上の位置に形成されているような上蓋構造としてもよい。この上蓋構造によって、上蓋１上の水が水抜き穴１１から落ちる際に、直接縦樋へと導かれ、排水をスムーズにすることができる。また、図２記載のように、水抜き穴１１への落ち口１３を断面Ｒ形状としてもよい。この断面Ｒ形状面に沿って、さらに水を引き込みやすくすることができる。
【００１７】
以上のように、上蓋外縁部１２から水抜き穴１１に向かって低くなるように傾斜を有する本発明の雨樋集水ますの上蓋構造によって、雨等によって上蓋１上の水は水抜き穴１１に自然と流れ、さらに上蓋１上のごみを洗い流し、外観を損なわず、さらにメンテナンスも容易にすることができるのである。
【図面の簡単な説明】
【００１８】
【図１】本発明の雨樋集水ますの上蓋構造の一実施形態の斜視図である。
【図２】図１の上蓋の拡大断面図である。
【図３】従来の上蓋構造を有する雨樋集水ますの斜視図である。
【符号の説明】
【００１９】
１  上蓋
１１  水抜き穴
１２  上蓋外縁部
１３  落ち口
２  雨樋集水ます
２１  後壁部
２２  横引排水管接続用の挿入口
２３  底壁部
２４  縦樋接続用の排水口
３  従来の上蓋
３１  水抜き穴
【図１】
2008133627.tif 000003
【図２】
2008133627.tif 000004
【図３】
2008133627.tif 000005